(57)【要約】【課題】運転停止後のハウジング内底面の残存穀類を完全に取り除き、又、内底部に付着した汚れを拭い取る作業を容易・確実に行える様にした、改良型の内底部清掃機構を備えた穀類等用のバケットコンベア装置を提供する。【解決手段】ハウジングの内底部に供給される穀類等を、バケットコンベアで掬い上げて、ハウジング上部の排出口に迄運び上げる様に構成したものに於いて、穀類等の供給停止後、コンベアの停止に先立って、内底部への吹込気流により、内底部の残存穀類等を吹き上げて、運転中のバケットに受止めさせる様に構成した、内底部清掃機構が付設されており、内底部清掃機構は、内底部の側壁に設けた取付孔の孔縁部に着脱自在に取付けられる噴気ノズルユニットと、送風・集塵ユニットとを備えることを特徴とする。矩形状の取付孔の横幅を、側壁の横幅寸法にほぼ等しく、取付孔の下縁は、内底部の底面と同じ高さに位置させたことも特徴とする。【選択図】      図２
2004352472.tif 000002
【特許請求の範囲】
【請求項１】
縦長のハウジングの内底部に供給される穀類等を、バケットコンベアで掬い上げて、ハウジング上部の排出口に迄運び上げる様に構成されたものに於いて、
穀類等の供給を止めた後、バケットコンベアの停止に先立って、内底部に向け吹き込んだ気流により、内底部に残存する穀類等を吹き上げたうえ、運転中のバケット内に受止めさせる様に構成した、内底部清掃機構が付設されており、
内底部清掃機構は、内底部の側壁に設けた取付孔の孔縁部に着脱自在に取付けられる噴気ノズルユニットと、送風及び粉塵補集機能を備えた送風・集塵ユニットとを備えることを特徴とする穀類等用のバケットコンベア装置。
【請求項２】
取付孔は矩形状に形成し、その横幅は、ハウジングの内法横幅寸法にほぼ等しく、取付孔の下縁は、内底部と同じ高さに位置させたことを特徴とする請求項１記載の穀類等用のバケットコンベア装置。
【請求項３】
噴気ノズルユニットは、取付孔より一回り大きい取付用プレートと、取付用プレートの外側面に設けた送気用のホース継手と、取付用プレートの内側面に設けられて噴気口を横向きにしたノズル形成部とを備えることを特徴とする請求項１又は２記載の穀類等用のバケットコンベア装置。
【請求項４】
取付孔の外周りに、取付用プレートの周縁部を当接状態で螺止させる為の矩形枠状の取付用フランジを設けたことを特徴とする請求項１乃至３のいずれかに記載の穀類等用のバケットコンベア装置。
【発明の詳細な説明】
【０００１】
【発明の属する技術分野】
本発明は、縦長のハウジングの下部側壁に設けた供給口から、その内底部に供給される穀類等を、バケットコンベアで掬い上げて、ハウジングの上端に設けた排出口に迄運び上げる様に構成さており、且つ、運転の停止後に、穀類等が内底部に残留するのを防ぐ為の、内底部清掃機構が付設された穀類等用のバケットコンベア装置に関する。
【０００２】
【従来の技術】
本願出願人は、先に、上記の内底部清掃機構を付設した穀類等用のバケットコンベア装置を開発し、［０００９］項に記した様に、「特願昭５９−１０２８２０」として特許出願し、《特許第１４３３５１２号》として登録済みである。
【０００３】
この特許登録済みのバケットコンベア装置の構造は、基本的には、図１に示した、本発明の一実施例装置と同じである。
そこで、上記先願発明のバケットコンベア装置の概略の構造を、本発明の実施例図である図１及び図２を借用して説明する。
図中の２０は、扁平な角筒形を成す縦長のハウジングで、内部には、モータ２１によって駆動される駆動軸２２と、被動軸２３に夫々軸嵌させた、１組の特殊プーリ２４，２４間に張設した無端ベルト２５に、バケット２６が所定間隔を隔てて取付けられている（図２参照）。
【０００４】
図１に示した様に、ハウジング２０の右側側壁の下端近くには、穀類等の供給用のホッパー２７を組付け、左側側壁の上端部には、バケット２６によって持ち上げた穀類等を、所望の高い位置で排出させる為の排出口２８を設けている。
３１は、無端ベルト２５の張り具合を調節する張力調節機構、３２は、ハウジング２０の前面壁の下端部に着脱自在に取付けた覗き窓付きの開閉蓋で、ハウジング２０の内底部の点検と清掃時に役立つ。
【０００５】
更に、バケットコンベア装置には、図６に示した様に、ホッパー２７の出口のシャッター２７ａを閉ざした後、バケットコンベアの停止に先立って、ハウジング２０の内底部の側方から与圧空気を噴出させて、内底部に残留する穀類等を吹き上げたうえ、バケット２６で受け止めさせる様に構成した、在来型の噴気ノズルユニットが付設されている。
【０００６】
従来例図としての、図７及び図８に示した様に、この在来型の噴気ノズルユニット４０は、浅くて長細い送風用トレー４１の長手方向の一端部に、カバー状ノズル４２を覆い被せ、その傾斜下端にスリット状の噴気口４３を形成させている。
カバー状ノズル４２は、傾斜板４２ａの上端縁に端面板４２ｂを、両側端縁には側面板４２ｃを、夫々垂設した形態を備えている。
【０００７】
そして、端面壁４２ｂには、送風・集塵機５０（図６参照）の送風口への接続用のホース継手４４を外向きに突設している。
尚、噴気ノズルユニットの機能説明図としての、図６では、在来タイプの噴気ノズルユニットが描かれている。
【０００８】
在来型の噴気ノズルユニット４０は、図７に示した様に、ハウジング２０の内底部に据え置き、ホース継手４４は、ハウジング２０の側壁を貫いて外側に突出させている。
穀類等に混在する粉塵は、図６の（ｃ）に示した様に、噴気ノズルユニット４０からの噴気流によって吹き上げられた後、ハウジング２０の下方寄りの個所に設けた集塵口３３から、吸引ホース３４を経て送風・集塵ユニット５０の吸入口に吸い込まれる様にしている。３５は、送風ホースである。
この送風・集塵ユニット５０と、噴気ノズルユニット４０とによって、内底部清掃機構が構成されている。
【０００９】
【特許文献１】
特願昭５９−１０２８２０（特許第１４３３５１２号）
発明の名称：精穀機用昇降機内の残留穀類及び塵埃除去装置
【００１０】
【発明が解決しようとする課題】
上記の構造を備えた従来のバケットコンベア装置は、内底部清掃機構が付設されていても、その構造上、運転停止後に、ハウジング２０の内底部に残存する穀類を完全に排除するとは難しい。
かと云って、この残存穀類をそのまま放置して置くと、バケットコンベア装置に供給する穀類の、種類やグレードを切替えた時に、少量ではあるが、異種の穀類が混入してしまうことになる。
【００１１】
その場合、穀類を、最終的には粉末にして商品化するのなら未だしも、粒状のままで販売されると、この極く少量の異物の混在が発見されて、食品としての商品に対する信頼性が決定的に損なわれることになり兼ねない。
【００１２】
そこで、バケットコンベア装置に供給する穀物の種類を切り替える都度、ハウジング２０の内底部を、人の手で確実に清掃することが必要になる。
この清掃作業は、ハウジング２０の下部側壁に設けた開閉蓋３２を取り外して行うことになる。
【００１３】
ところが、内底部に固定状態で組込まれた噴気ノズルユニット４０が邪魔になるので、矢張り、完全に清掃するのは難しい。
その上、図１から理解される様に、開閉蓋３２を取付けた開口部の横幅は、ハウジング２０の前面壁の横幅より狭いので、開口部の左右両外側の隅角部分は、この前面壁に邪魔されてうまく清掃出来ない。
言わば、清掃作業上の“死角部分”となってしまう。
【００１４】
そこで、本発明の目的は、付設の内底部清掃機構によっても、完全に取り除くのが難しい、運転停止後のハウジング内底面の残存穀類を、人の手で完全に取り除き、又、内底部に付着した汚れを拭い取る作業を、容易・確実に行える様にした、改良タイプの内底部清掃機構を備えた穀類等用のバケットコンベア装置を提供するにある。
【００１５】
【課題を解決するための手段】
上記の目的を達成する為の、本発明による穀類等用のバケットコンベア装置は、
縦長のハウジングの内底部に供給される穀類等を、バケットコンベアで掬い上げて、ハウジング上部の排出口に迄運び上げる様に構成されたものに於いて、
穀類等の供給を止めた後、バケットコンベアの停止に先立って、内底部に向け吹き込んだ気流により、内底部に残存する穀類等を吹き上げたうえ、運転中のバケット内に受止めさせる様に構成した、内底部清掃機構が付設されており、
内底部清掃機構は、内底部の側壁に設けた取付孔の孔縁部に着脱自在に取付けられる噴気ノズルユニットと、送風及び粉塵補集機能を備えた送風・集塵ユニットとを備えることを特徴とする。
そして、取付孔は矩形状に形成し、その横幅は、ハウジングの内法横幅寸法にほぼ等しく、取付孔の下縁は、内底部と同じ高さに位置させたことも特徴とする。
又、噴気ノズルユニットは、取付孔より一回り大きい取付用プレートと、取付用プレートの外側面に設けた送気用のホース継手と、取付用プレートの内側面に設けられて噴気口を横向きにしたノズル形成部とを備えることも特徴とする。
更に、取付孔の外周りに、取付用プレートの周縁部を当接状態で螺止させる為の矩形枠状の取付用フランジを設けたことも特徴とする。
【００１６】
【発明の実施の形態】
以下に、本発明の一実施例に就いて、図１〜図６を参照しながら説明する。
図１は、この実施例のバケットコンベア装置１００の外観斜視図である。
バケットコンベア装置１００の、主要な構成に就いては、［従来の技術］
の項で説明済みなので、重複説明は省くことにする。
【００１７】
本発明によるバケットコンベア装置１００が、既述の従来のバケットコンベア装置と異なるところは、付設の内底部清掃機構を構成する、噴気ノズルユニットと、送風・集塵ユニットとのうちの、噴気ノズルユニットの部分だけなので、以下は、主として、この噴気ノズルユニットに限って説明することにする。
【００１８】
図２は、この実施例の噴気ノズルユニット１０を、バケットコンベア装置１００のハウジング２０の内底部に、着脱自在に組付けた状態を示す、要部の部分破断正面図である。
図３は、ハウジング２０の側壁２０ａの下部に設けた、噴気ノズルユニット１０の取付孔２９の部分を示した部分斜視図である。
図４及び図５は、噴気ノズルユニット１０の斜視図及び縦断面図である。
【００１９】
、噴気ノズルユニット１０の取付孔２９は、矩形状に形成されており、図３に示した様に、その横幅は、側壁２０ａの内法横幅寸法にほぼ等しい。
取付孔２９の下縁２９ａは、内底部を構成する底面２０ｂと同じ高さに位置させている。つまり、この接続個所に段差が生じない様にしている。
平坦な底面２０ｂは、図２に示した様に、上向きの湾曲面２０ｃを経て、ハウジング２０の右側の側壁に連なっている。
【００２０】
そして、取付孔２９の外周りを囲む様にして、噴気ノズルユニット１０を着脱自在に螺止させる為の、矩形枠状の取付用フランジ３６を、溶接により側壁２０ａに取付けている。
【００２１】
この実施例の噴気ノズルユニット１０は、取付用フランジ３６に覆い被せられる大きさの矩形板状の取付用プレート１と、取付用プレート１の内側面に突設したノズル形成部２と、取付用プレート１に設けた通気孔１ａにその基端側が連なる、送気用のホース継手３とを備えている。
【００２２】
ノズル形成部２は、図４，図５に示した様に、板材を、下向のコ字形を成す扁平な角樋状に折曲した如き形態を備えている。角樋は、その高さ寸法が、先端に向けて次第に低まる様にしている。
そして、ホース継手３は、その基端側が角樋形状のノズル形成部２の内空部に臨む様に配置している（図４参照）。
【００２３】
図３に示した様に、取付用フランジ３６には、取付用プレート１を当接状態で着脱自在に連結させる為の複数本のボルト３７を、適宜の配置間隔で突設している。
一方、取付用プレート１には、各ボルト３７を挿通させる為の複数のボトル孔４を設けている。
ボルト３７の先端には、図２に示した様に、摘み付きのナット５が螺じ込まれる。
【００２４】
図２に示した様に、噴気ノズルユニット１０は、そのノズル形成部２を、側壁２０ａに設けた取付孔２９から、ハウジング２０の内底部に差込んだうえ、取付用プレート１を、取付用フランジ３６に当接させた状態で、各ボルト３７にナット５を螺じ込むことによって、内底部の所定位置に固定される。
この状態で、ノズル形成部２の内空部先端と、ハウジング２０の底面２０ｂとの間には、スリット状の噴気口６が形成される。
尚、図２中の３８は、ノズル形成部２の直上個所に配設した遮風板である。
【００２５】
次に、上記実施例のバケットコンベア装置１００の作用に就いて説明する。
バケットコンベア自体の機能及び作用は、既存のものと同じなので説明は省略し、以下は、主として、内底部清掃機構の作用に限って、図２、図６を参照しながら説明する。
尚、前述の様に、図６では、噴気ノズルユニット１０を、在来型の固定取付式の噴気ノズルユニットとして描いている。
【００２６】
図６の（ａ）に示した状態で運転されていたバケットコンベアを、図６の（ｂ）に示した様に、ホッパー２７の出口シャッター２７ａを閉ざしたうえで、停止させると、ハウジング２０内の底面２０ｂには、幾分かの穀類が取り残される。
これは、バケット２６と、底面２０ｂとの間に、相互の干渉を防ぐ為の隙間を設けてある為である。
【００２７】
そこで、この残存穀類を、内底部清掃機構を働かせて完全に取り除きたい時には、バケットコンベアの運転停止に先立って、送風・集塵ユニット５０を起動させる。
すると、図２（及び図６のｃ）に示した様に、噴気ノズルユニット１０の噴気口６から、ハウジング２０の底面２０ｂに沿う様にして、与圧空気がジッェト状に噴出する。
【００２８】
この噴気流に吹き飛ばされた底面２０ｂ上の残存穀類は、この底面２０ｂに連なる上向き湾曲面２０ｃ、及びハウジング２０の側壁面に沿ってかなり高く吹き上げられたうえ、自然落下する途中で、下方部に位置するバケット２６によって受止められる。
そして、この受止められた穀類は、この時、未だ運転中のバケットコンベアによって、排出口２８迄運ばれることになる。
【００２９】
そして、穀類に粉塵が混在していれば、穀類より更に高く吹き上げられて、集塵口３３に迄達する。
この吹き上げられた粉塵は、吸引ホース３４を経て、送風・集塵ユニット５０に吸い込まれ、除塵フィルター（図示略）に補足される。
【００３０】
ところが、内底部清掃機構を動かせても、底面２０ｂ上には、時の経過に連れて、付着し易いの汚れが次第に溜まって来るものである。
る。
この付着堆積物は、放置して置けば、人体に有害な雑菌の温床になり兼ねない。
【００３１】
そこで、適時に、ハウジング２０の内底部を、人の手を使って丁寧に、完全に清掃してやることが必要になる。
その場合に、既述の従来装置の様に、噴気ノズルユニットが固定状態で組込まれており、更に、清掃用の開口部が小さい状態では、確実に清掃することは極めて難しい。
【００３２】
それに対して、本発明による、噴気ノズルユニット１０は、内底部を清掃する際に、ハウジング２０内から簡単に取出すことが出来る。
又、図３に示した様に、ハンジング２０の側壁２０ａに設けた噴気ノズルユニット１０の取付孔２９が十分に大きくて、内底部に手を差し入れても届かせ難い、段差状に窪み込んだ隅角部分、言わば、清掃の際の“死角部分”が全く存在しない。
その為、内底部の完全・確実な清掃作業を、極め容易・迅速に行うことが出来る。
【００３３】
【発明の効果】
以上の説明によって明らかな様に、本発明による穀類等用のバケットコンベア装置は、在来のものに比べて格段に改良された内底部清掃機構を付設したことによって、同種の既存装置に比べて、以下に列挙し如き、実用上のより優れた機能を発揮する。
（ａ）ハウジングの内底部に収めた噴気ノズルユニットは、内底部の清掃の際に簡単に取外せるので、手作業による仕上清掃を、既存装置に比べて、遙かに確実に、且つ、迅速に行える。
（ｂ）又、噴気ノズルユニットの取付孔を十分に大きくしたので、手作業による仕上清掃の際の、作業の“死角部分”を完全に無くすことが出来、より一層、容易・確実・迅速に清掃出来る。
（ｃ）従って、商品として市場に出回った穀類に、極く僅かの異種の穀類が混入していた為に、商品に対する信頼性が失墜していまう恐れを解消出来る。
（ｄ）又、内底部に付着したまま放置された汚れが、雑菌の温床となって、穀類を汚損する恐れも無くなる。
【図面の簡単な説明】
【図１】本発明の一実施例を示すもので、バケットコンベア装置の外観斜視図である。
【図２】同上、装置のハウジング内底部に噴気ノズルユニットを組付けた状態を示す、要部の部分破断正面図である。
【図３】同上、ハウジングの側壁に設けた、噴気ノズルユニットの取付孔の部分を示した部分斜視図である。
【図４】同上、噴気ノズルユニットの斜視図である。
【図５】同上、噴気ノズルユニットの縦断面図である。
【図６】同上、噴気ノズルユニットと送気・集塵ユニットとの組合わせから成る、内底部清掃機構の作動説明図である。
【図７】従来例を示すもので、噴気ノズルユニットの構造が異なる装置の、図２相当図である。
【図８】同上、噴気ノズルユニットの斜視図である。
【符号の説明】
１００  バケットコンベア装置
１０  噴気ノズルユニット（内底部清掃機構）
５０  送気・集塵ユニット（内底部清掃機構）
１  取付用プレート
１ａ  通気孔
２  ノズル形成部
３  ホース継手
４  ボルト孔
５  ナット
６  噴気口
２０  ハウジング
２０ａ  側壁
２０ｂ  底面
２０ｃ  湾曲面
２１  モータ
２２  駆動軸
２３  被動軸
２４  特殊プーリ
２５  無端ベルト
２６  バケット
２７  ホッパー
２７ａ  シャッター
２８  排出口
２９  取付孔
２９ａ  下縁
３１  張力調節ユニット
３２  開閉蓋
３３  集塵口
３４  吸引ホース
３５  送風ホース
３６  取付用フランジ
３７  ボルト
３８  遮風板
４０  在来型の噴気ノズルユニット
４１  送風用トレー
４２  カバー状ノズル
４２ａ  傾斜板
４２ｂ  端面板
４２ｃ  側面板
４３  噴気口
４４  ホース継手
【図１】
2004352472.tif 000003
【図２】
2004352472.tif 000004
【図３】
2004352472.tif 000005
【図４】
2004352472.tif 000006
【図５】
2004352472.tif 000007
【図６】
2004352472.tif 000008
【図７】
2004352472.tif 000009
【図８】
2004352472.tif 000010